(57)【特許請求の範囲】
【請求項１】
乗り場呼びを登録するための操作を受け付ける乗り場呼び登録装置と、
所定のエレベータ利用者固有の利用者情報を記憶するデータベースと、
乗りかご内に設置され、前記乗り場呼びの登録がなされた場合に、エレベータ利用者が所持する通信機器に記憶される当該利用者固有の利用者情報を読み取る読み取り手段と、
前記読み取り手段により読み取った利用者情報と前記データベースに記憶される利用者情報とを照合することで前記エレベータ利用者を認証する利用認証手段と、
前記利用認証手段により前記エレベータ利用者を認証した場合に、当該利用者が所持する前記通信機器に記憶される行先階情報入力の為のアプリケーションプログラムを用いて入力された行先階情報を取得し、この取得した行先階情報に基づいて行先階の登録を行なって前記乗りかごの運転制御を行なう運転制御手段と、
エレベータ設置建物への訪問者の認証を行なう訪問者認証手段と、
前記訪問者認証手段により前記訪問者の認証を行なった場合に、当該訪問者固有の訪問者情報を当該訪問者が所持する通信機器に送信する送信手段と、
前記認証した訪問者固有の訪問者情報を前記データベースに書き込む書き込み手段と
を備え、
前記読み取り手段は、
前記訪問者が所持する通信機器に記憶される前記訪問者情報を読み取り、
前記利用認証手段は、
前記読み取り手段により読み取った訪問者情報と前記データベースに書き込まれた訪問者情報とを照合することで前記訪問者を認証し、
前記訪問者認証手段により認証した訪問者が所持する通信機器へ、行先階情報入力の為のアプリケーションプログラムを配信する配信手段をさらに備え、
前記運転制御手段は、
前記利用認証手段により前記訪問者を認証した場合に、前記訪問者が所持する通信機器に前記配信されたアプリケーションプログラムを用いて入力された行先階情報を取得し、この取得した行先階情報に基づいて行先階の登録を行なって前記乗りかごの運転制御を行なう
ことを特徴とするエレベータ。
【請求項２】
所定のエレベータ利用者固有の利用者情報を記憶するデータベースと、
各階床の乗り場に設置され、乗り場にいるエレベータ利用者が所持する通信機器に記憶される当該利用者固有の利用者情報を読み取る読み取り手段と、
前記読み取り手段により読み取った利用者情報と前記データベースに記憶される利用者情報とを照合することで前記エレベータ利用者を認証する利用認証手段と、
前記利用認証手段により前記エレベータ利用者を認証した場合に、当該利用者が所持する前記通信機器に記憶される行先階情報入力の為のアプリケーションプログラムを用いて入力された行先階情報を取得し、この取得した行先階情報に基づいて行先階の登録を行なって、前記利用者情報を読み取った読み取り手段が設置される階床への前記乗りかごの配車を行なって、前記行先階への前記乗りかごの運転制御を行なう運転制御手段と、
エレベータ設置建物への訪問者の認証を行なう訪問者認証手段と、
前記訪問者認証手段により前記訪問者の認証を行なった場合に、当該訪問者固有の訪問者情報を当該訪問者が所持する通信機器に送信する送信手段と、
前記認証した訪問者固有の訪問者情報を前記データベースに書き込む書き込み手段と
を備え、
前記読み取り手段は、
前記訪問者が所持する通信機器に記憶される前記訪問者情報を読み取り、
前記利用認証手段は、
前記読み取り手段により読み取った訪問者情報と前記データベースに書き込まれた訪問者情報とを照合することで前記訪問者を認証し、
前記訪問者認証手段により認証した訪問者が所持する通信機器へ、行先階情報入力の為のアプリケーションプログラム配信する配信手段をさらに備え、
前記運転制御手段は、
前記利用認証手段により前記訪問者を認証した場合に、前記訪問者が所持する通信機器に前記配信されたアプリケーションプログラムを用いて入力された行先階情報を取得し、この取得した行先階情報に基づいて行先階の登録を行なって、前記訪問者情報を読み取った読み取り手段が設置される階床への前記乗りかごの配車を行なって前記乗りかごの運転制御を行なう
ことを特徴とするエレベータ。
【請求項３】
前記配信手段は、
前記訪問者認証手段により認証した訪問者が所持する通信機器へ、行先階情報入力の為のアプリケーションプログラムを使用可能期限を定めたプログラムとして配信し、
前記利用認証手段により前記訪問者を認証した場合に、前記訪問者が所持する通信機器に前記配信されたアプリケーションプログラムを用いて前記使用可能期限内に入力された行先階情報を取得し、この取得した行先階情報に基づいて行先階の登録を行なって前記乗りかごの運転制御を行なう
ことを特徴とする請求項１に記載のエレベータ。
【請求項４】
前記配信手段は、
前記訪問者認証手段により認証した訪問者が所持する通信機器へ、行先階情報入力の為のアプリケーションプログラムを使用可能期限を定めたプログラムとして配信し、
前記利用認証手段により前記訪問者を認証した場合に、前記訪問者が所持する通信機器に前記配信されたアプリケーションプログラムを用いて前記使用可能期限内に入力された行先階情報を取得し、この取得した行先階情報に基づいて行先階の登録を行なって、前記訪問者情報を読み取った読み取り手段が設置される階床への前記乗りかごの配車を行なって前記乗りかごの運転制御を行なう
ことを特徴とする請求項２に記載のエレベータ。
【請求項５】
前記書き込み手段は、
前記認証を行なった訪問者固有の訪問者情報を使用可能期限を定めた訪問者情報として前記データベースに書き込み、
前記データベースに書き込まれた、使用可能期限が過ぎた訪問者情報を消去する消去処理手段をさらに備えた
ことを特徴とする請求項１または２に記載のエレベータ。
【請求項６】
前記利用認証手段により前記エレベータ利用者を認証した場合に、前記行先階情報入力の為のアプリケーションプログラムを用いて入力できる行先階情報を所定の階床のいずれかに制限するための情報を前記利用者が所持する通信機器に送信する送信手段をさらに備えた
ことを特徴とする請求項１または２に記載のエレベータ。
【請求項７】
前記訪問者認証手段により前記訪問者を認証した場合に、前記行先階情報入力の為のアプリケーションプログラムを用いて入力できる行先階情報を所定の階床のいずれかに制限する情報を前記訪問者が所持する通信機器に送信する送信手段をさらに備えた
ことを特徴とする請求項１または２に記載のエレベータ。
【請求項８】
前記利用認証手段が、前記利用者の認証を所定回数試みても認証を行なえない場合に、認証失敗を示す情報を外部装置に送信する送信手段をさらに備えた
ことを特徴とする請求項１または２に記載のエレベータ。
【請求項９】
前記利用認証手段により前記利用者を認証した後で、所定の時間が経過しても前記利用者が所持する通信機器に記憶される前記アプリケーションプログラムを用いて行先階情報が入力されない場合に、エラー情報を外部装置に送信する送信手段をさらに備えた
ことを特徴とする請求項１または２に記載のエレベータ。
【発明の詳細な説明】
【技術分野】
【０００１】
本発明の実施形態は、利用者の個人認証を行なう機能を有するエレベータに関する。
【背景技術】
【０００２】
従来、エレベータのセキュリティシステムに関する技術として、建物のエントランスに設置された玄関ロック装置に連動して認証された利用者に対して特定の階床にのみ乗りかごを応答させる玄関ロック連動エレベータシステムや、利用者が所持する携帯機器から予め情報を入力することにより、予め指定された階床に乗りかごを予め配車しておくことで、利用者が円滑に乗車できるようにしたものがある。
【先行技術文献】
【特許文献】
【０００３】
【特許文献１】特開２００３−３１２９４９号公報
【発明の概要】
【発明が解決しようとする課題】
【０００４】
しかしながら、前述したようなエレベータのセキュリティシステムにおいては、かごに乗り込むまでに予め情報が入力されており、行先階が事前登録されている。そのため、利用者はその場で行先階を選択できず、乗客の利便性が低いものとなっている。
【０００５】
本発明が解決しようとする課題は、乗客の利便性を低下させずにセキュリティ性能を確保しつつ、利用者の利便性も高いエレベータを提供することにある。
【課題を解決するための手段】
【０００６】
実施形態によれば、乗り場呼びを登録するための操作を受け付ける乗り場呼び登録装置と、所定のエレベータ利用者固有の利用者情報を記憶するデータベースと、乗りかご内に設置され、前記乗り場呼びの登録がなされた場合に、エレベータ利用者が所持する通信機器に記憶される当該利用者固有の利用者情報を読み取る読み取り手段と、前記読み取り手段により読み取った利用者情報と前記データベースに記憶される利用者情報とを照合することで前記エレベータ利用者を認証する認証手段と、前記認証手段により前記エレベータ利用者を認証した場合に、前記利用者が所持する通信機器に記憶される行先階情報入力の為のアプリケーションプログラムを用いて入力された行先階情報を取得し、この取得した行先階情報に基づいて行先階の登録を行なって前記乗りかごの運転制御を行なう運転制御手段と、エレベータ設置建物への訪問者の認証を行なう訪問者認証手段と、前記訪問者認証手段により前記訪問者の認証を行なった場合に、当該訪問者固有の訪問者情報を当該訪問者が所持する通信機器に送信する送信手段と、前記認証した訪問者固有の訪問者情報を前記データベースに書き込む書き込み手段とをもち、前記読み取り手段は、前記訪問者が所持する通信機器に記憶される前記訪問者情報を読み取り、前記利用認証手段は、前記読み取り手段により読み取った訪問者情報と前記データベースに書き込まれた訪問者情報とを照合することで前記訪問者を認証し、前記訪問者認証手段により認証した訪問者が所持する通信機器へ、行先階情報入力の為のアプリケーションプログラムを配信する配信手段をさらにもち、前記運転制御手段は、前記利用認証手段により前記訪問者を認証した場合に、前記訪問者が所持する通信機器に前記配信されたアプリケーションプログラムを用いて入力された行先階情報を取得し、この取得した行先階情報に基づいて行先階の登録を行なって前記乗りかごの運転制御を行なう。
【図面の簡単な説明】
【０００７】
【図１】第１の実施形態におけるエレベータシステムの概略構成例を示す図。
【図２】第１の実施形態におけるエレベータシステムの認証装置の機能構成例を示すブロック図。
【図３】第１の実施形態におけるエレベータシステムの携帯電話機の機能構成例を示すブロック図。
【図４】第１の実施形態におけるエレベータシステムの処理動作の一例を示すフローチャート。
【図５】第１の実施形態における携帯電話機の操作画面の一例を示す図。
【図６】第２の実施形態におけるエレベータシステムの概略構成例を示す図。
【図７】第２の実施形態におけるエレベータシステムの処理動作の一例を示すフローチャート。
【図８】第３の実施形態におけるエレベータシステムの概略構成例を示す図。
【図９】第３の実施形態におけるエレベータシステムの玄関ロック装置の機能構成例を示すブロック図。
【図１０】第３の実施形態におけるエレベータシステムの処理動作の一例を示すフローチャート。
【図１１】第４の実施形態におけるエレベータシステムの処理動作の一例を示すフローチャート。
【図１２】第５の実施形態におけるエレベータシステムの概略構成例を示す図。
【図１３】第５の実施形態におけるエレベータシステムの処理動作の一例を示すフローチャート。
【発明を実施するための形態】
【０００８】
以下、実施の形態について、図面を参照して説明する。  
（第１の実施形態）
まず、第１の実施形態について説明する。  
図１は、第１の実施形態におけるエレベータシステムの概略構成例を示す図である。  
図１に示すように、第１の実施形態におけるエレベータシステムは、シーブ１、ドライブ装置２、エレベータ運転制御装置３、乗りかご４、乗り場呼び登録装置５を備える。  
乗りかご４は、図示しない巻上機の回転軸に設けられたシーブ１およびそらせシーブ１ａに巻き掛けられたメインロープを介して吊り合い重り１ｂと連結される。乗りかご４は、巻上機の駆動によるシーブ１の回転に伴い、シーブ１とメインロープの間の摩擦力により吊り合い重り１ｂとともに昇降路内を互いに上下反対方向に昇降する。
【０００９】
ドライブ装置２は、巻上機を駆動することでシーブ１を回転させる。乗り場呼び登録装置５は、各階床の乗り場に設けられ、設置階床での乗り場呼びを登録するための利用者による操作を受け付ける。エレベータ運転制御装置３は、利用者による乗り場呼び登録装置５への操作にしたがって乗り場呼びを登録し、ドライブ装置２への駆動指令を行なうなどして乗りかご４の昇降を制御する。
【００１０】
また、本実施形態では、図１に示すように、乗りかご４内に認証装置６が設けられる。認証装置６は、通信回線１０を介してエレベータ運転制御装置３に通信可能に接続される。この認証装置６は、エレベータ利用者が携帯するモバイル機器である携帯電話機７を介して、当該利用者のエレベータ利用にかかる個人認証を行なう。携帯電話機７は、利用者が携帯可能で通信機能を有する機器であれば、例えばＰＤＡ（Personal Digital Assistant：携帯情報端末）などであってもよい。
【００１１】
また、このエレベータシステムは、不揮発性メモリなどの記憶媒体であるデータベース８を備える。このデータベース８は、通信回線９および当該通信回線９に接続される通信回線１０を介して認証装置６に通信可能に接続され、所定のエレベータ利用者の認証のための、当該利用者固有の利用者情報を記憶する。利用者情報は、利用者に付与された識別番号、氏名、居住階などを含む。
【００１２】
図２は、第１の実施形態におけるエレベータシステムの認証装置６の機能構成例を示すブロック図である。  
図２に示すように、認証装置６は、装置全体の処理動作を司る制御部６１、記憶装置６２、通信インタフェース６３、無線通信インタフェース６４、読取処理部６５、アクセス処理部６６、認証処理部６７、アプリケーション起動指令部６８を有する。
【００１３】
記憶装置６２は、不揮発性メモリなどの記憶媒体であり、通信インタフェース６３、無線通信インタフェース６４、読取処理部６５、アクセス処理部６６、認証処理部６７、アプリケーション起動指令部６８の処理動作の為のプログラムを記憶する。
【００１４】
通信インタフェース６３は、エレベータ運転制御装置３およびデータベース８との間の通信処理を行なう。また、無線通信インタフェース６４は、携帯電話機７との間の無線通信処理を行なう。
【００１５】
図３は、第１の実施形態におけるエレベータシステムの携帯電話機７の機能構成例を示すブロック図である。  
図３に示すように、利用者の携帯電話機７は、装置全体の処理動作を司る制御部７１、記憶装置７２、通信インタフェース７４、アプリケーション処理部７６、行先階情報送信部７７、入力装置７８、表示装置７９、マイクロフォン８０、スピーカ８１を有する。
【００１６】
記憶装置７２は、不揮発性メモリなどの記憶媒体であり、通信インタフェース７４、アプリケーション処理部７６、行先階情報送信部７７の処理動作の為のプログラムを記憶する他、携帯電話機７を所持する利用者固有の利用者情報を記憶する。また、記憶装置７２は、行先階登録の為のアプリケーションプログラムである専用アプリケーションプログラムを記憶するアプリケーション記憶部７３を有する。
【００１７】
通信インタフェース７４は、アンテナ７５を介して、認証装置６の無線通信インタフェース６４との間で無線通信処理を行なう。アプリケーション処理部７６は、記憶装置７２のアプリケーション記憶部７３に記憶される専用アプリケーションプログラムを動作させる。行先階情報送信部７７は、専用アプリケーションプログラムを用いて入力された行先階の情報を通信インタフェース７４を介して認証装置６に送信する。
【００１８】
入力装置７８は、通常の通話の為の入力操作または専用アプリケーションプログラムにより行先階の指定の為の入力操作を受け付ける。表示装置７９は、例えば液晶ディスプレイであり、通常の通話のための画面表示または専用アプリケーションプログラムによる画面表示を行なう。マイクロフォン８０は、通話における音声入力を行なう。スピーカ８１は、通話などにおける音声出力を行なう。
【００１９】
次に、図１に示した構成のエレベータシステムによる利用者の認証および運転制御動作について説明する。ここでは、利用者による行先階登録の為の専用アプリケーションプログラムは、図示しない配信用サーバ装置から利用者の携帯電話機７へ予め配信されて、記憶装置７２のアプリケーション記憶部７３に記憶されているものとする。
【００２０】
図４は、第１の実施形態におけるエレベータシステムの処理動作の一例を示すフローチャートである。  
まず、エレベータの設置建物の住人であるエレベータ利用者が、乗り場呼び登録装置５を操作することで１階の乗り場呼びを登録し（ステップＳ１）、この登録に伴い、エレベータ運転制御装置３は乗りかご４を１階の乗り場に配車させる（ステップＳ２）。
【００２１】
そして、利用者が、自身の携帯電話機７を乗りかご４内に設置された認証装置６へ接近させ、認証装置６の無線通信インタフェース６４と携帯電話機７の通信インタフェース７４との間で近距離無線通信が可能な状態となると（ステップＳ３）、認証装置６の読取処理部６５は、携帯電話機７の記憶装置７２に記憶される利用者情報を通信インタフェース７４を介して受信することで、この利用者情報を読み取る（ステップＳ４）。
【００２２】
すると、認証装置６のアクセス処理部６６は、通信インタフェース６３、通信回線１０および通信回線９を介してデータベース８にアクセスし（ステップＳ５）、このデータベース８に記憶される利用者情報を読み出す（ステップＳ６）。
【００２３】
認証装置６の認証処理部６７は、データベース８に記憶される利用者情報と携帯電話機７から読み取った利用者情報とを照合し、データベース８に記憶される利用者情報のいずれかと携帯電話機７から読み取った利用者情報とが一致する場合には（ステップＳ７のＹＥＳ）、利用者の個人認証が成功したと判断する。一方、データベース８に記憶される利用者情報と携帯電話機７から読み取った利用者情報とが一致しない場合には（ステップＳ７のＮＯ）、利用者の個人認証が成功しなかったものと判断し、再度利用者情報の照合を行う。
【００２４】
利用者の個人認証が成功したと判断された場合、認証装置６のアプリケーション起動指令部６８は、携帯電話機７内の専用アプリケーションプログラムを起動させるための起動指令を無線通信インタフェース６４を介して、利用者情報の読み取り元の携帯電話機７に送信する。携帯電話機７の通信インタフェース７４が、認証装置６からの起動指令を受信すると、アプリケーション処理部７６は、記憶装置７２のアプリケーション記憶部７３に記憶される専用アプリケーションプログラムを起動させて、行先階登録の為の操作画面を表示装置７９に表示させる（ステップＳ８）。
【００２５】
図５は、第１の実施形態における携帯電話機の操作画面の一例を示す図である。  
図５に示すように、行先階登録の為の操作画面には、選択可能な行先階を示す画像と、行先階を選択した上で決定釦を押すよう利用者に促すメッセージが表示される。利用者が、この画面に従って入力装置７８を操作して、所望の行先階を選択した上で、入力装置７８の決定釦を操作する（ステップＳ９）。
【００２６】
例えば、図５に示すように、利用者が入力装置７８への操作により画面上の３階を示す画像を選択した上で決定釦を操作すると、表示装置７９の表示画面が、当該選択した３階を行先階として登録するか否かの確認のための画面に切り替わる。
【００２７】
この画面において、利用者が入力装置７８への操作により画面上のカーソルを「登録」に設定して決定釦を操作すると、登録する行先階が決定し、行先階情報送信部７７は、この決定した行先階の情報を通信インタフェース７４を介して認証装置６に送信する。  
認証装置６の無線通信インタフェース６４は、携帯電話機７からの行先階の情報を受信すると、この行先階の情報を通信インタフェース６３を介してエレベータ運転制御装置３へ送信する（ステップＳ１０）。
【００２８】
エレベータ運転制御装置３は、認証装置６からの行先階の情報を受信すると、この情報に基づいて行先階の登録処理および当該登録した行先階への乗りかご４の運転制御を行なう（ステップＳ１１）。
【００２９】
以上のように、第１の実施形態におけるエレベータシステムでは、乗りかご内に設置された認証装置がエレベータ利用者の携帯する携帯電話機内の利用者情報を読み取り、この利用者情報とデータベース内の利用者情報とを照合して個人認証を行ない、携帯電話機内の専用アプリケーションプログラムが起動し、利用者は、この専用アプリケーションプログラムを用いて行先階の登録のための操作を行ない、この行先階情報が認証装置を介してエレベータ運転制御装置へ送信される。そして、エレベータ運転制御装置は行先階の登録および行先階への運転制御を行なう。
【００３０】
これにより、行先階を登録するためには利用者の携帯電話機内の専用アプリケーションプログラムが必要とするためセキュリティ性能を確保できつつ、利用者はその場で行先階を選択することができるため利便性が向上する。
【００３１】
（第２の実施形態）
次に、第２の実施形態について説明する。なお、以下の各実施形態におけるエレベータの構成のうち図１に示したものと同一部分の説明は省略する。  
図６は、第２の実施形態におけるエレベータシステムの概略構成例を示す図である。  
図６に示すように、本実施形態におけるエレベータシステムは、第１の実施形態で用いた乗り場呼び登録装置５を設置しておらず、第１の実施形態で説明した認証装置６を、乗りかご４の外の各階床のそれぞれの乗り場に設置したものである。
【００３２】
図７は、第２の実施形態におけるエレベータシステムの処理動作の一例を示すフローチャートである。  
まず、エレベータ利用者が、携帯電話機７を、例えば１階の乗り場に設置された認証装置６へ接近させ、認証装置６の無線通信インタフェース６４と携帯電話機７の通信インタフェース７４との間で近距離無線通信が可能な状態となると（ステップＳ２１）、認証装置６の読取処理部６５は、携帯電話機７の記憶装置７２に記憶される利用者情報を通信インタフェース７４を介して受信することで、この利用者情報を読み取る（ステップＳ４）。
【００３３】
すると、認証装置６のアクセス処理部６６は、通信インタフェース６３、通信回線１０および通信回線９を介してデータベース８にアクセスし（ステップＳ５）、このデータベース８に記憶される利用者情報を読み出す（ステップＳ６）。
【００３４】
認証装置６の認証処理部６７は、データベース８に記憶される利用者情報と携帯電話機７から読み取った利用者情報とを照合し、データベース８に記憶される利用者情報のいずれかと携帯電話機７から読み取った利用者情報とが一致する場合には（ステップＳ７のＹＥＳ）、利用者の個人認証が成功したと判断する。一方、データベース８に記憶される利用者情報と携帯電話機７から読み取った利用者情報とが一致しない場合には（ステップＳ７のＮＯ）、利用者の個人認証が成功しなかったものと判断し、再度利用者情報の照合を行う。
【００３５】
利用者の個人認証が成功したと判断された場合、認証装置６のアプリケーション起動指令部６８は、携帯電話機７内の専用アプリケーションプログラムを起動させるための起動指令を無線通信インタフェース６４を介して、利用者情報の読み取り元の携帯電話機７に送信する。携帯電話機７の通信インタフェース７４が認証装置６からの起動指令を受信すると、アプリケーション処理部７６は、記憶装置７２のアプリケーション記憶部７３に記憶される専用アプリケーションプログラムを起動させて、行先階登録の為の操作画面を表示装置７９に表示させる（ステップＳ８）。  
利用者は、この画面に従って入力装置７８を操作して、所望の行先階を選択した上で入力装置７８の決定釦を操作する（ステップＳ９）。
【００３６】
第１の実施形態で説明したように、登録する行先階が決定すると、行先階情報送信部７７は、この決定した行先階の情報を通信インタフェース７４を介して認証装置６に送信する。認証装置６の無線通信インタフェース６４は、携帯電話機７からの行先階の情報を受信すると、この行先階の情報を通信インタフェース６３を介してエレベータ運転制御装置３へ送信する（ステップＳ１０）。
【００３７】
エレベータ運転制御装置３は、認証装置６からの行先階の情報を受信すると、利用者情報の読み取り元の認証装置６の設置階、つまり利用者の待つ階へ乗りかご４を配車させ（ステップＳ２２）、受信した情報に基づいて行先階の登録処理および当該登録した行先階への乗りかご４の運転制御を行なう（ステップＳ１１）。
【００３８】
以上のように、第２の実施形態におけるエレベータシステムでは、乗り場に設置された認証装置がエレベータ利用者の携帯する携帯電話機内の利用者情報を読み取り、この利用者情報とデータベース内の利用者情報とを照合して個人認証を行ない、携帯電話機内の専用アプリケーションプログラムが起動し、利用者は、この専用アプリケーションプログラムを用いて行先階の登録のための操作を行ない、この行先階情報が認証装置を介してエレベータ運転制御装置へ送信される。そして、エレベータ運転制御装置は、利用者の待つ階への配車、行先階の登録および行先階への運転制御を行なう。これにより、第１の実施形態における特徴に加え、乗り場呼び登録装置を設置する必要がないため、安価で平易なエレベータシステムを提供することができる。
【００３９】
本実施形態では、各階床の乗り場に乗り場呼び登録装置５を設けない構成としたが、これに限らず、各階床の乗り場に乗り場呼び登録装置５をさらに設ける構成としてもよい。この場合、利用者が乗り場呼び登録装置５を操作した上で、乗り場に設置された認証装置６がエレベータ利用者の携帯する携帯電話機７内の利用者情報を読み取り、この利用者情報とデータベース８内の利用者情報とを照合して個人認証を行なうことができる。
【００４０】
また、認証装置６を乗りかご４内および各階床の乗り場にそれぞれ設ける構成としてもよい。このような構成とすれば、利用者が、乗り場と乗りかご４内のいずれかに設けられる認証装置６に携帯電話機７を接近させることで個人認証を行なうことができる。
【００４１】
（第３の実施形態）
次に、第３の実施形態について説明する。図８は、第３の実施形態におけるエレベータシステムの概略構成例を示す図である。  
図８に示すように、本実施形態におけるエレベータシステムは、第１の実施形態と比較して、建物の１階のエントランスに玄関ロック装置１１が設けられる。この玄関ロック装置１１は、データベース８および認証装置６に通信可能に接続され、利用者の携帯電話機７との近距離無線通信の機能を有する。
【００４２】
図９は、第３の実施形態におけるエレベータシステムの玄関ロック装置１１の機能構成例を示すブロック図である。  
図９に示すように、本実施形態におけるエレベータシステムの玄関ロック装置１１は、装置全体の処理動作を司る制御部９１、記憶装置９２、通信インタフェース９４、無線通信インタフェース９５、訪問者認証部９６、訪問者情報送信部９７、アプリケーション配信部９８、訪問者情報消去処理部９９を有する。
【００４３】
記憶装置９２は、不揮発性メモリなどの記憶媒体であり、通信インタフェース９４、無線通信インタフェース９５、訪問者認証部９６、訪問者情報送信部９７、アプリケーション配信部９８、訪問者情報消去処理部９９の処理動作の為のプログラムを記憶する他、エレベータ設置建物の住人以外の訪問者による行先階登録の為の専用アプリケーションプログラムを記憶するアプリケーション記憶部９３を有する。
【００４４】
通信インタフェース９４は、エレベータ運転制御装置３、認証装置６、データベース８、および設置建物内の各住居のインターフォンとの間で通信処理を行なう。無線通信インタフェース９５は、訪問者の携帯電話機７との間で無線通信処理を行なう。
【００４５】
訪問者認証部９６は、訪問者が玄関ロック装置１１の図示しない入力釦の操作により来訪先の部屋番号を示す信号を入力すると、この番号に対応する住居におけるインターフォンを呼び出す。これにしたがってインターフォンの受話器がとられた場合には、通話可能な状態となる。
【００４６】
インターフォンの操作者が、訪問者との通話を経て当該訪問者の建物への入場およびエレベータ利用を認め、インターフォンの図示しない開錠釦を操作した場合には、玄関ロック装置１１の訪問者認証部９６は、訪問者を認証する。訪問者情報送信部９７は、訪問者が認証された場合に、訪問者に付与する利用者情報であって当該訪問者固有の訪問者情報を生成して、データベース８に送信して書き込む。この訪問者情報は、訪問者認証部９６による訪問者の認証時に当該訪問者に一時的に付与する識別番号、通話先のインターフォンの操作者の居住階などを含む。
【００４７】
アプリケーション配信部９８は、認証された訪問者の携帯電話機７に対して、行先階を登録するための専用アプリケーションプログラムを配信する。  
訪問者情報消去処理部９９は、訪問者の認証後に所定の時間が経過した場合には、前述のように送信されてデータベース８に書き込まれた訪問者情報の消去処理を行なう。
【００４８】
次に、図９に示した構成のエレベータシステムによる訪問者の認証および運転制御動作について説明する。図１０は、第３の実施形態におけるエレベータシステムの処理動作の一例を示すフローチャートである。  
まず、玄関ロック装置１１の訪問者認証部９６は、訪問者と居住者との通話を経て、訪問者を認証する（ステップＳ３１）。
【００４９】
玄関ロック装置１１の訪問者情報送信部９７は、訪問者の認証時に当該訪問者に一時的に付与するための識別番号を発行する。訪問者情報送信部９７は、通信インタフェース９４を介してデータベース８にアクセスし、このデータベース８に記憶される利用者情報のうち、インターフォンにより訪問者との通話を行なった居住者の利用者情報を判別する。訪問者情報送信部９７は、この利用者情報で示される居住階の情報、および、前述した識別番号を含む情報である、訪問者固有の訪問者情報を生成する。訪問者情報送信部９７は、この生成した訪問者情報をデータベース８に書き込む。さらに、訪問者情報送信部９７は、この訪問者情報を無線通信インタフェース９５を介して訪問者の携帯電話機７に送信する（ステップＳ３２）。訪問者の携帯電話機７の通信インタフェース７４は、玄関ロック装置１１から配信された訪問者情報を受信すると、この受信した訪問者情報を記憶装置７２に記憶する。
【００５０】
ステップＳ３２の処理後、玄関ロック装置１１のアプリケーション配信部９８は、行先階を登録するための専用アプリケーションプログラムを無線通信インタフェース９５を介して利用者の携帯電話機７に配信する（ステップＳ３３）。訪問者の携帯電話機７の通信インタフェース７４が玄関ロック装置１１から配信された専用アプリケーションプログラムを受信すると、アプリケーション処理部７６は、この受信したアプリケーションプログラムを記憶装置７２のアプリケーション記憶部７３に記憶する。
【００５１】
そして、訪問者が、乗り場呼び登録装置５にて１階の乗り場呼びを登録し（ステップＳ１）、この登録に伴い、エレベータ運転制御装置３は乗りかご４を１階の乗り場に配車させる（ステップＳ２）。
【００５２】
そして、訪問者が、携帯電話機７を乗りかご４内に設置された認証装置６へ接近させ、認証装置６の無線通信インタフェース６４と携帯電話機７の通信インタフェース７４との間で近距離無線通信が可能な状態となると（ステップＳ３）、認証装置６の読取処理部６５は、携帯電話機７の記憶装置７２に記憶される訪問者情報を通信インタフェース７４を介して受信することで、この訪問者情報を読み取る（ステップＳ３４）。
【００５３】
すると、認証装置６のアクセス処理部６６は、通信インタフェース６３、通信回線１０および通信回線９を介してデータベース８にアクセスし（ステップＳ５）、このデータベース８に記憶される訪問者情報を読み出す（ステップＳ３５）。
【００５４】
認証装置６の認証処理部６７は、データベース８に記憶される訪問者情報のいずれかと携帯電話機７から読み取った訪問者情報とが一致する場合には（ステップＳ３６のＹＥＳ）、訪問者の個人認証が成功したと判断する。一方、データベース８に記憶される訪問者情報と携帯電話機７から読み取った訪問者情報とが一致しない場合には（ステップＳ３６のＮＯ）、訪問者の個人認証が成功しなかったものと判断し、再度訪問者情報の照合を行う。
【００５５】
訪問者の個人認証が成功したと判断された場合、認証装置６のアプリケーション起動指令部６８は、携帯電話機７内の専用アプリケーションプログラムを起動させるための起動指令を無線通信インタフェース６４を介して、訪問者情報の読み取り元の携帯電話機７に送信する。携帯電話機７の通信インタフェース７４が、認証装置６からの起動指令を受信すると、アプリケーション処理部７６は、記憶装置７２のアプリケーション記憶部７３に記憶される専用アプリケーションプログラムを起動させて、行先階登録の為の操作画面を表示装置７９に表示させる（ステップＳ８）。
【００５６】
訪問者の携帯電話機７への専用アプリケーションプログラムの配信から所定時間、例えば１２時間経過する前に（ステップＳ３７のＮＯ）、操作画面にしたがった行先階の登録の為の操作がなされて、第１の実施形態で説明したように、登録する行先階が決定すると（ステップＳ９）、行先階情報送信部７７は、この決定した行先階の情報を通信インタフェース７４を介して認証装置６に送信する。  
認証装置６の無線通信インタフェース６４は、携帯電話機７からの行先階の情報を受信すると、この行先階の情報を通信インタフェース６３を介してエレベータ運転制御装置３へ送信する（ステップＳ１０）。
【００５７】
エレベータ運転制御装置３は、認証装置６からの行先階の情報を受信すると、この情報に基づいて行先階の登録処理および当該登録した行先階への乗りかご４の運転制御を行なう（ステップＳ１１）。
【００５８】
訪問者情報消去処理部９９は、玄関ロック装置１１による訪問者の認証後からの経過時間をカウントしており、前述した訪問者の認証から所定の時間が経過した場合には（ステップＳ３８のＹＥＳ）、通信インタフェース９４を介してデータベース８にアクセスし、ステップＳ３２の処理でデータベース８に書き込まれた訪問者情報の消去処理を行なう（ステップＳ３９）。
【００５９】
また、訪問者の携帯電話機７への専用アプリケーションプログラムは、使用可能期限が設定されたプログラムであり、訪問者の携帯電話機７への専用アプリケーションプログラムの配信から前述した所定時間が経過すると（ステップＳ３７のＹＥＳ）、この専用アプリケーションプログラムは携帯電話機７において使用不可となる（ステップＳ４０）。
【００６０】
以上のように、第３の実施形態におけるエレベータシステムでは、玄関ロック装置が訪問者を認証後、データベースに訪問者情報を書き込み、乗りかご内に設置された認証装置が訪問者の携帯する携帯電話機内の訪問者情報を読み取り、この訪問者情報とデータベース内の訪問者情報とを照合して個人認証を行ない、携帯電話機内の専用アプリケーションプログラムが起動し、訪問者は、この専用アプリケーションプログラムを用いて行先階の登録のための操作を行ない、この行先階情報が認証装置を介してエレベータ運転制御装置へ送信される。そして、エレベータ運転制御装置は、行先階の登録および行先階への運転制御を行なう。これにより、第１の実施形態における特徴に加え、エレベータ設置建物の居住者以外の訪問者の利便性を低下させずにセキュリティ性能を確保するエレベータシステムを提供することができる。
【００６１】
また、本実施形態では、第１の実施形態のように、認証装置６を乗りかご内に設ける構成としたが、これに限らず、第２の実施形態のように、認証装置６を各階床の乗り場に設ける構成としてもよい。この場合、玄関ロック装置が訪問者を認証後、データベースに訪問者情報を書き込み、乗り場に設置された認証装置が訪問者の携帯する携帯電話機内の訪問者情報を読み取り、この訪問者情報とデータベース内の訪問者情報とを照合して個人認証を行なうようにすればよい。
【００６２】
また、この実施形態では、ステップＳ３１で訪問者を認証した際は、ステップＳ３にて、訪問者の携帯電話機７が乗りかご４内の認証装置６へ接近した際に、訪問者情報の照合などを行なうことなく、すぐに携帯電話機内の専用アプリケーションを起動するようにしてもよい。
【００６３】
（第４の実施形態）
次に、第４の実施形態について説明する。本実施形態では、第１の実施形態と比較して、利用者の認証後、この利用者が専用アプリケーションプログラムを用いて登録可能な階床が利用者ごとに応じた階床に制限される。
【００６４】
本実施形態では、データベース８に記憶される利用者情報には、当該利用者情報に対応する利用者が登録可能な行先階情報が関連付けられる。利用者が登録可能な行先階とは、例えば玄関階および利用者の居住階である。
【００６５】
図１１は、第４の実施形態におけるエレベータシステムの処理動作の一例を示すフローチャートである。  
まず、第１の実施形態で説明したステップＳ１からＳ７までの処理がなされてエレベータの設置建物の住人であるエレベータ利用者が、乗り場呼び登録装置５にて１階の乗り場呼びを登録し（ステップＳ１）、この登録に伴い、エレベータ運転制御装置３は乗りかご４を１階の乗り場に配車させる（ステップＳ２）。
【００６６】
そして、エレベータ利用者が、携帯電話機７を乗りかご４内に設置された認証装置６へ接近させ、認証装置６の無線通信インタフェース６４と携帯電話機７の通信インタフェース７４との間で近距離無線通信が可能な状態となると（ステップＳ３）、認証装置６の読取処理部６５は、携帯電話機７の記憶装置７２に記憶される利用者情報を通信インタフェース７４を介して受信することで、この利用者情報を読み取る（ステップＳ４）。
【００６７】
すると、認証装置６のアクセス処理部６６は、通信インタフェース６３、通信回線１０および通信回線９を介してデータベース８にアクセスし（ステップＳ５）、このデータベース８に記憶される利用者情報を読み出すとともに（ステップＳ６）、この利用者情報に関連付けられる、利用者が登録可能な行先階情報を読み出す。
【００６８】
認証装置６の認証処理部６７は、データベース８に記憶される利用者情報のいずれかと携帯電話機７から読み取った利用者情報とが一致する場合には（ステップＳ７のＹＥＳ）、利用者の個人認証が成功したと判断する。一方、データベース８に記憶される利用者情報と携帯電話機７から読み取った利用者情報とが一致しない場合には（ステップＳ７のＮＯ）、利用者の個人認証が成功しなかったものと判断し、再度利用者情報の照合を行う。
【００６９】
利用者の個人認証が成功したと判断された場合、認証処理部６７は、データベース８から読み出した、利用者が登録可能な行先階情報を無線通信インタフェース６４を介して利用者の携帯電話機７に送信する（ステップＳ４１）。
【００７０】
そして、認証装置６のアプリケーション起動指令部６８は、携帯電話機７内の専用アプリケーションプログラムを起動させるための起動指令を無線通信インタフェース６４を介して、利用者情報の読み取り元の携帯電話機７に送信する。携帯電話機７の通信インタフェース７４が、認証装置６からの起動指令を受信すると、アプリケーション処理部７６は、記憶装置７２のアプリケーション記憶部７３に記憶される専用アプリケーションプログラムを起動させて、行先階登録の為の操作画面を表示装置７９に表示させる（ステップＳ８）。
【００７１】
本実施形態では、行先階登録の為の操作画面には、前述した利用者が登録可能な行先階を示す画像と、行先階を選択した上で決定釦を押すよう促すメッセージが表示される。利用者が、この画面に従って入力装置７８を操作して、利用者が登録可能な行先階のうち所望の行先階を選択した上で、入力装置７８の決定釦を操作する（ステップＳ４２）。
【００７２】
登録する行先階が決定すると、行先階情報送信部７７は、この決定した行先階の情報を通信インタフェース７４を介して認証装置６に送信する。  
認証装置６の無線通信インタフェース６４は、携帯電話機７からの行先階の情報を受信すると、この行先階の情報を通信インタフェース６３を介してエレベータ運転制御装置３へ送信する（ステップＳ１０）。
【００７３】
エレベータ運転制御装置３は、認証装置６からの行先階の情報を受信すると、この情報に基づいて行先階の登録処理および当該登録した行先階への乗りかご４の運転制御を行なう（ステップＳ１１）。
【００７４】
以上のように、第４の実施形態におけるエレベータシステムでは、第１の実施形態におけるエレベータシステムと比較して、利用者が登録可能な行先階が制限される。例えば、５階に居住する住人が１階からエレベータを利用する場合、携帯電話機内の専用アプリケーションプログラムを起動させる際に、利用者が登録可能な行先階情報、例えば玄関階である１階と居住階である５階の行先階情報を携帯電話機に送信する。これにより、携帯電話機の専用アプリケーションプログラムは、利用者が１階と５階以外の行先階を登録することが出来なくなるので、エレベータ設置建物内のセキュリティ性を向上させることができる。
【００７５】
（第５の実施形態）
次に、第５の実施形態について説明する。  
図１２は、第５の実施形態におけるエレベータシステムの概略構成例を示す図である。図１２に示すように、本実施形態におけるエレベータシステムは、第１の実施形態で説明した構成に加え、建物外部のエレベータ監視センタ１３の端末装置への通信を司る遠隔監視端末１２を備える。この遠隔監視端末１２は、エレベータ運転制御装置３とエレベータ監視センタ１３の端末装置に通信可能に接続される。
【００７６】
また、本実施形態では、乗りかご４内の認証装置６は、通信回線１０および当該通信回線１０に連なる通信回線１６を介して、建物内の管理人室監視盤１４やビル管理システム１５の端末装置に通信可能に接続される。
【００７７】
図１３は、第５の実施形態におけるエレベータシステムの処理動作の一例を示すフローチャートである。  
まず、第１の実施形態で説明したステップＳ１からＳ７までの処理がなされ、認証装置６の認証処理部６７は、データベース８に記憶される利用者情報と携帯電話機７から読み取った利用者情報とが一致する場合には（ステップＳ７のＹＥＳ）、利用者の個人認証が成功したと判断する。
【００７８】
利用者の個人認証が成功したと判断された場合、認証装置６のアプリケーション起動指令部６８は、携帯電話機７内の専用アプリケーションプログラムを起動させるための起動指令を無線通信インタフェース６４を介して、利用者情報の読み取り元の携帯電話機７に送信する。携帯電話機７の通信インタフェース７４が、認証装置６からの起動指令を受信すると、アプリケーション処理部７６は、記憶装置７２のアプリケーション記憶部７３に記憶される専用アプリケーションプログラムを起動させて、行先階登録の為の操作画面を表示装置７９に表示させる（ステップＳ８）。
【００７９】
専用アプリケーションプログラムが起動してから所定時間内に、利用者による行先階の登録の為の操作が行なわれて、行先階の情報を認証装置６の通信インタフェース６３が受信した場合（ステップＳ５１のＹＥＳ）、第１の実施形態で説明したように、行先階情報がエレベータ運転制御装置３へ送信され（ステップＳ１０）、行先階の登録、および行先階までの運転制御がなされる（ステップＳ１１）。
【００８０】
また、前述したステップＳ７の処理において、認証装置６の認証処理部６７は、携帯電話機７から読み取った利用者情報とデータベース８に記憶される利用者情報とが一致しない場合には（ステップＳ７のＮＯ）、利用者の個人認証が失敗したと判断し、データベース８へのアクセスから３回以上の不一致でない場合にはステップＳ４の処理に戻る。また認証処理部６７は、データベース８へのアクセスから３回以上の不一致である場合には（ステップＳ５２のＹＥＳ）、エラーコード「０１」を発行する（ステップＳ５３）。
【００８１】
また、携帯電話機７の専用アプリケーションプログラムが起動してから所定時間内に行先階の登録の為の操作を行なわずに、行先階の情報を通信インタフェース６３が受信しなかった場合（ステップＳ５１のＮＯ）、認証処理部６７は、エラーコード「０２」を発行する（ステップＳ５４）。
【００８２】
そして認証処理部６７は、前述したように発行したエラーコード「０１」または「０２」をもとに、認証失敗を示すエラー情報を生成する。このエラー情報は、建物情報、日時、エラーコード番号などからなる。
【００８３】
認証処理部６７は、このエラー情報を、通信インタフェース６３を介して、エレベータ運転制御装置３、管理人室監視盤１４、およびビル管理システム１５の端末装置に送信して、エラーコードを当該端末装置に表示させる。また、エレベータ運転制御装置３は、認証装置６からのエラー情報を遠隔監視端末１２に送信する。遠隔監視端末１２は、エレベータ運転制御装置３からのエラー情報をエレベータ監視センタ１３に送信して、センタ内の端末装置に表示させる（ステップＳ５５）。
【００８４】
以上のように、第５の実施形態におけるエレベータシステムでは、利用者の認証がなされなかった場合に、エラー情報を建物の内外の端末装置に表示させることができる。よって、機器の故障などの要因で利用者の認証がなされなかった場合への対処が容易になる。
【００８５】
これらの各実施形態によれば、乗客の利便性を低下させずにセキュリティ性能を確保することが可能になるエレベータを提供することができる。  
なお、上記実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。  
また、この記憶媒体としては、プログラムを記憶でき、かつコンピュータが読み取り可能な記憶媒体であれば、その記憶形式は何れの形態であっても良い。  
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が上記実施形態を実現するための各処理の一部を実行しても良い。  
さらに、本発明における記憶媒体は、コンピュータと独立した媒体に限らず、ＬＡＮやインターネット等により伝送されたプログラムをダウンロードして記憶または一時記憶した記憶媒体も含まれる。  
また、記憶媒体は１つに限らず、複数の媒体から上記実施形態における処理が実行される場合も本発明における記憶媒体に含まれ、媒体構成は何れの構成であっても良い。  
尚、本発明におけるコンピュータは、記憶媒体に記憶されたプログラムに基づき、上記実施形態における各処理を実行するものであって、パソコン等の１つからなる装置、複数の装置がネットワーク接続されたシステム等の何れの構成であっても良い。  
また、本発明におけるコンピュータとは、パーソナルコンピュータに限らず、情報処理機器に含まれる演算処理装置、マイコン等も含み、プログラムによって本発明の機能を実現することが可能な機器、装置を総称している。
【００８６】
発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８７】
１…シーブ、１ａ…そらせシーブ、１ｂ…吊り合い重り、２…ドライブ装置、３…エレベータ運転制御装置、４…乗りかご、５…乗り場呼び登録装置、６…認証装置、７…携帯電話機、８…データベース、９，１０，１６…通信回線、１１…玄関ロック装置、１２…遠隔監視端末、１３…エレベータ監視センタ、１４…管理人室監視盤、１５…ビル管理システム、６１，７１，９１…制御部、６２，７２，９２…記憶装置、６３，７４，９４…通信インタフェース、６４，９５…無線通信インタフェース、６５…読取処理部、６６…アクセス処理部、６７…認証処理部、６８…アプリケーション起動指令部、７３…アプリケーション記憶部、７５…アンテナ、７６，９３…アプリケーション処理部、７７…行先階情報送信部、７８…入力装置、７９…表示装置、８０…マイクロフォン、８１…スピーカ、９６…訪問者認証部、９７…訪問者情報送信部、９８…アプリケーション配信部、９９…訪問者情報消去処理部。
【図１】
0005714366.tif 000002
【図２】
0005714366.tif 000003
【図３】
0005714366.tif 000004
【図４】
0005714366.tif 000005
【図５】
0005714366.tif 000006
【図６】
0005714366.tif 000007
【図７】
0005714366.tif 000008
【図８】
0005714366.tif 000009
【図９】
0005714366.tif 000010
【図１０】
0005714366.tif 000011
【図１１】
0005714366.tif 000012
【図１２】
0005714366.tif 000013
【図１３】
0005714366.tif 000014